(57)【特許請求の範囲】
【請求項１】
コピー指示を受け付けると、原稿から画像データを読み取り、読み取った前記画像データを設定された印刷条件で記録紙に印刷するコピー機能を備えた画像形成装置であって、
前記画像データの異なる複数箇所から文字をそれぞれ抽出する文字抽出部と、
該文字抽出部によって抽出された文字の線幅を比較することで、前記原稿が鉛筆書きか否かを判定する線幅判定部とを具備することを特徴とする画像形成装置。
【請求項２】
前記文字抽出部は、前記画像データの異なる複数箇所から同一色の文字をそれぞれ抽出することを特徴とする請求項１に記載の画像形成装置。
【請求項３】
前記文字抽出部は、前記画像データの異なる複数箇所から同一文字種の文字をそれぞれ抽出することを特徴とする請求項１又は２記載の画像形成装置。
【請求項４】
前記線幅判定部によって前記原稿が鉛筆書きであると判定されると、鉛筆書き用の画像処理を行う鉛筆書き用の印刷条件に変更し、変更した鉛筆書き用の印刷条件で前記画像データを前記記録紙に印刷する印刷条件設定変更部を具備することを特徴とする請求項１乃至３のいずれかに記載の画像形成装置。
【請求項５】
前記文字抽出部は、前記原稿の原稿サイズがＢ４サイズ若しくはＡ３サイズである場合に、前記画像データの異なる複数箇所から文字をそれぞれ抽出することを特徴とする請求項１乃至４のいずれかに記載の画像形成装置。
【請求項６】
前記原稿が載置されるプラテンガラスと、
該プラテンガラス上面を開閉するプラテンカバーと、
該プラテンカバーの開閉を検出する開閉検出部とを具備し、
前記文字抽出部は、コピー指示の受け付け時に前記開閉検出部によって前記プラテンカバーの開いていることが検出されると、前記画像データの異なる複数箇所から文字をそれぞれ抽出することを特徴とする請求項１乃至５のいずれかに記載の画像形成装置。
【請求項７】
前記原稿が載置されるプラテンガラスと、
該プラテンガラス上面を開閉するプラテンカバーと、
該プラテンカバーの開閉を検出する開閉検出部と、
前記線幅判定部によって前記原稿が鉛筆書きであると判定されると、鉛筆書き用の画像処理を行う鉛筆書き用の印刷条件に変更し、変更した鉛筆書き用の印刷条件で前記画像データを前記記録紙に印刷する印刷条件設定変更部とを具備し、
鉛筆書き用の印刷条件で前記画像データを前記記録紙に印刷した後、予め設定された所定時間が経過する前にコピー指示を受け付け、且つコピー指示の受け付け時に前記開閉検出部によって前記プラテンカバーの開いていることが検出されると、前記文字抽出部による文字抽出動作及び前記線幅判定部による線幅判定動作を実行することなく、前記印刷条件設定変更部は、鉛筆書き用の印刷条件での印刷動作を実行することを特徴とする請求項１乃至３のいずれかに記載の画像形成装置。
【発明の詳細な説明】
【技術分野】
【０００１】
本発明は、原稿から読み取った画像データを設定された印刷条件で記録紙に印刷するコピー（複写）機能を備えた画像形成装置に関する。
【背景技術】
【０００２】
学校では授業のノートなどを鉛筆で書くのが一般的であるが、画像形成装置によって鉛筆書きの原稿をコピーすると、薄くなって読めないことがある。鉛筆書きの原稿については、鉛筆書き用の画像処理（濃度変更やシャープネス）を行うことで読みやすいコピーができるが、うっかりこの画像処理の設定を忘れてコピーしてしまうことがある。そこで、原稿に描かれた画像が鉛筆書きされているか否かを判定し、鉛筆書きされていると判定した場合、警告を表示すると共に、画像の濃度設定の変更の要否を問い合わせる技術が提案されている（例えば、特許文献１参照）。
【先行技術文献】
【特許文献】
【０００３】
【特許文献１】特開２００７−３２４８４０号公報
【発明の概要】
【発明が解決しようとする課題】
【０００４】
しかしながら、従来技術では、輝度、明度といった特徴によって鉛筆書きを検知しようとしているが、輝度、明度といった特徴だけでは鉛筆書きの検知を正確に行うことができるとは限らないという問題点があった。
【０００５】
本発明の目的は、上記問題点に鑑み、従来技術の問題を解決し、鉛筆書きの原稿をより正確に判定することができる画像形成装置を提供することにある。
【課題を解決するための手段】
【０００６】
本発明の画像形成装置は、コピー指示を受け付けると、原稿から画像データを読み取り、読み取った前記画像データを設定された印刷条件で記録紙に印刷するコピー機能を備えた画像形成装置であって、前記画像データの異なる複数箇所から文字をそれぞれ抽出する文字抽出部と、該文字抽出部によって抽出された文字の線幅を比較することで、前記原稿が鉛筆書きか否かを判定する線幅判定部とを具備することを特徴とする。
さらに、本発明の画像形成装置において、記文字抽出部は、前記画像データの異なる複数箇所から同一色の文字をそれぞれ抽出しても良い。
さらに、本発明の画像形成装置において、前記文字抽出部は、前記画像データの異なる複数箇所から同一文字種の文字をそれぞれ抽出しても良い。
さらに、本発明の画像形成装置において、前記線幅判定部によって前記原稿が鉛筆書きであると判定されると、鉛筆書き用の画像処理を行う鉛筆書き用の印刷条件に変更し、変更した鉛筆書き用の印刷条件で前記画像データを前記記録紙に印刷する印刷条件設定変更部を備えていても良い。
さらに、本発明の画像形成装置において、前記文字抽出部は、前記原稿の原稿サイズがＢ４サイズ若しくはＡ３サイズである場合に、前記画像データの異なる複数箇所から文字をそれぞれ抽出しても良い。
さらに、本発明の画像形成装置において、前記原稿が載置されるプラテンガラスと、該プラテンガラス上面を開閉するプラテンカバーと、該プラテンカバーの開閉を検出する開閉検出部とを具備し、前記文字抽出部は、コピー指示の受け付け時に前記開閉検出部によって前記プラテンカバーの開いていることが検出されると、前記画像データの異なる複数箇所から文字をそれぞれ抽出しても良い。
さらに、本発明の画像形成装置において、前記原稿が載置されるプラテンガラスと、該プラテンガラス上面を開閉するプラテンカバーと、該プラテンカバーの開閉を検出する開閉検出部と、前記線幅判定部によって前記原稿が鉛筆書きであると判定されると、鉛筆書き用の画像処理を行う鉛筆書き用の印刷条件に変更し、変更した鉛筆書き用の印刷条件で前記画像データを前記記録紙に印刷する印刷条件設定変更部とを具備し、鉛筆書き用の印刷条件で前記画像データを前記記録紙に印刷した後、予め設定された所定時間が経過する前にコピー指示を受け付け、且つコピー指示の受け付け時に前記開閉検出部によって前記プラテンカバーの開いていることが検出されると、前記文字抽出部による文字抽出動作及び前記線幅判定部による線幅判定動作を実行することなく、前記印刷条件設定変更部は、鉛筆書き用の印刷条件での印刷動作を実行しても良い。
【発明の効果】
【０００７】
本発明によれば、鉛筆書きの場合は書いている間に鉛筆の芯が削れることで徐々に文字の線幅が太くなるという特徴を利用して、鉛筆書きの原稿をより正確に判定することができるという効果を奏する。
【図面の簡単な説明】
【０００８】
【図１】本発明に係る画像形成装置の第１の実施の形態の構成を示す外観斜視図である。
【図２】本発明に係る画像形成装置の第１の実施の形態の内部構成を示す断面模式図である。
【図３】図１及び図２に示す複写機の概略構成を示すブロック図である。
【図４】図１及び図２に示す複写機における鉛筆書き原稿判定動作を示すフローチャートである。
【図５】図３に示す文字抽出部による文字抽出動作を説明する説明図である。
【図６】本発明に係る画像形成装置の第２の実施の形態の構成を示す外観斜視図である。
【図７】図６に示す複写機における鉛筆書き原稿判定動作を示すフローチャートである。
【発明を実施するための形態】
【０００９】
次に、本発明の実施の形態を、図面を参照して具体的に説明する。
【００１０】
（第１の実施の形態）
第１の実施の形態の画像形成装置は、複写機１であり、図１及び図２を参照すると、原稿読取部２と、原稿給送部３と、本体部４と、操作部５とを備えている。原稿読取部２は、本体部４の上部に配設され、原稿給送部３は、原稿読取部２の上部に配設されている。操作部５は、複写機１の手前側に配設されている。また、原稿給送部３と原稿読取部２とは、複写機１の奥側でヒンジ機構によって接続されており、原稿給送部３を手前側から上方に開くことで、原稿読取部２上面のプラテンガラス２２を開放可能な構成になっている。なお、図１には、原稿給送部３を大きく開いた状態が示されている。また、本件の画像形成装置は、複写機１で説明したが、スキャナー、複合機等が含まれるのは、言うまでもない。
【００１１】
複写機１の手前側には、複写機１の設定や動作指示を行う操作部５が配設されている。操作部５は、液晶表示部５１、操作ボタン５２が設けられている。ユーザーは操作部５を操作して指示を入力することで、複写機１の各種の設定を行い、画像形成等の各種機能を実行させる。液晶表示部５１は、複写機１の状態を示したり、画像形成状況や印刷部数を表示したり、タッチパネルとして、原稿サイズの設定、両面印刷や白黒反転等の機能や倍率設定、濃度設定など各種設定を行えるようになっている。操作ボタン５２としては、画像形成を開始するようにユーザーが指示するスタートボタン、画像形成を中止する際等に使用するストップ／クリアボタン、複写機１の各種設定をデフォルト状態にする際に使用するリセットボタン、テンキー等が設けられている。
【００１２】
図２を参照すると、原稿読取部２は、スキャナー２１と、プラテンガラス２２と、原稿読取スリット２３とを備えている。スキャナー２１は、ＬＥＤ（Light Emitting Diode）を用いた光源２４と、ＣＣＤ（Charge Coupled Device）ラインセンサーやＣＭＯＳ（Complementary Metal Oxide Semiconductor）ラインセンサー等からなる受光部２５とを備えており、原稿給送部３による原稿の搬送方向に移動可能に構成されている。
プラテンガラス２２は、ガラス等の矩形状の透明部材により構成され、原稿読取部２の上面に配置された原稿台である。原稿読取スリット２３は、原稿給送部３による原稿の搬送方向と直交する方向に形成されたスリットである。
【００１３】
原稿給送部３は、原稿載置部３１と、原稿排出部３２と、原稿搬送機構３３とを備えている。原稿載置部３１に載置された原稿は、原稿搬送機構３３によって、１枚ずつ順に繰り出されて原稿読取スリット２３に対向する位置へ搬送され、その後、原稿排出部３２に排出される。
【００１４】
原稿給送部３は、プラテンガラス２２上面を開閉するプラテンカバーとして機能し、原稿給送部３を上方に開くことで、プラテンガラス２２上面が開放され、プラテンガラス２２に原稿をセットできる状態となる。また、原稿給送部３におけるプラテンガラス２２との対向面は、白色の原稿押さえ面３４となっている。
【００１５】
原稿載置部３１に原稿が載置されていない状態や、原稿給送部３（プラテンカバー）が開いた開状態で、操作部５の操作ボタン５２によって原稿の読み取りが指示されると、プラテンガラス２２に載置された原稿が読み取られる。プラテンガラス２２に載置された原稿を読み取る場合には、スキャナー２１は、プラテンガラス２２に対向する位置に移動され、プラテンガラス２２に載置された原稿を主走査方向と直交する副走査方向に走査しながら読み取って画像データを取得し、取得した画像データを本体部４に出力する。
【００１６】
原稿載置部３１に原稿が載置された状態で、操作部５の操作ボタン５２によって原稿の読み取りが指示されると、原稿給送部３により搬送された原稿が読み取られる。原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データを取得し、取得した画像データを本体部４に出力する。
【００１７】
本体部４は、記録部６を備えると共に、給紙部４１と、給紙ローラー４２と、用紙搬送路４３と、搬送ローラー４４と、排出ローラー４５とを備えている。給紙部４１は、複数枚の記録紙Ｐが収納される給紙カセットであり、給紙ローラー４２は、給紙部４１から記録紙Ｐを１枚ずつ用紙搬送路４３に繰り出す。給紙ローラー４２によって用紙搬送路４３に繰り出された記録紙Ｐは、搬送ローラー４４によって記録部６に搬送される。そして、記録部６によって記録が施された記録紙Ｐは、排出ローラー４５によって、原稿読取部２と本体部４との間に形成された排出空間４６に排出される。このように、給紙ローラー４２、搬送ローラー４４及び排出ローラー４５は、記録紙Ｐの搬送部４０として機能する。
【００１８】
記録部６は、感光体ドラム６１と、帯電部６２と、露光部６３と、画像形成部６４と、転写部６５と、定着部６６と、クリーニング部６７とを備えている。露光部６３は、レーザー装置やミラー等を備えた光学ユニットであり、帯電部６２によって一様に帯電された感光体ドラム６１に対し、画像データに基づくレーザー光を出力して露光し、感光体ドラム６１の表面に静電潜像を形成する。画像形成部６４は、トナーを用いて感光体ドラム６１に形成された静電潜像を現像する現像ユニットであり、静電潜像に基づいたトナー像を感光体ドラム６１上に形成させる。転写部６５は、画像形成部６４によって感光体ドラム６１上に形成されたトナー像を記録紙Ｐに転写させる。定着部６６は、転写部６５によってトナー像が転写された記録紙Ｐを加熱してトナー像を記録紙Ｐに定着させる。そして感光体ドラム６１上に残存するトナーは、クリーニング部６７によって除去される。
【００１９】
図３には、複写機１の概略構成を示すブロック図が示されている。上述の原稿読取部２、原稿給紙部３、搬送部（給紙ローラー４２、搬送ローラー４４、排出ローラー４５）、操作部５及び記録部６は、制御部７に接続され、制御部７によって動作制御される。また、制御部７には、画像処理部８と、記憶部９とが接続されている。
【００２０】
制御部７は、ＲＯＭ（Read Only Memory）、ＲＡＭ（Random Access Memory）等を備えたマイクロコンピューター等の情報処理部である。ＲＯＭには複写機１の動作制御を行うための制御プログラムが記憶されている。制御部７は、ＲＯＭに記憶されている制御プログラムを読み出し、制御プログラムをＲＡＭに展開させることで、装置全体を制御すると共に、文字抽出部７１、線幅判定部７２、印刷条件設定変更部７３として機能する。
【００２１】
画像処理部８は、画像データに対して拡大縮小処理や、階調調整、濃度調整等の画像処理を行う手段であり、鉛筆書き用の画像処理（濃度変更やシャープネス）を行う機能を有している。
【００２２】
記憶部９は、半導体メモリやＨＤＤ（Hard Disk Drive）等の記憶手段であり、原稿読取部２によって原稿を読み取ることで取得された画像データが記憶されると共に、各種の管理情報が記憶されている。
【００２３】
次に、第１の実施の形態の複写機１における鉛筆原稿判定動作について図４及び図５を参照して詳細に説明する。
制御部７は、操作部５の操作ボタン５２によってコピー指示を受け付けると（ステップ１０１）、ユーザーによって設定されて原稿サイズに基づき、原稿読取部２によって原稿を読み取ることで画像データを取得する（ステップ１０２）。
【００２４】
次に、制御部７は、ユーザーによって設定されている原稿サイズがＢ４もしくはＡ３であるか否かを判断する（ステップ１０３）。なお、原稿サイズは、プレスキャン等によって複写機１が自動判定するように構成しても良い。
【００２５】
ステップ１０３で原稿サイズがＢ４もしくはＡ３でない場合、制御部７は、鉛筆原稿判定動作を実行することなく、記録部６を用いてステップ１０２で取得した画像データを初期設定もしくはユーザーによって設定されている印刷条件で記録紙Ｐに印刷し（ステップ１０４）、コピー動作を終了させる。
【００２６】
ステップ１０３で原稿サイズがＢ４もしくはＡ３である場合、制御部７は、鉛筆原稿判定動作を実行するべく、文字抽出部７１として機能する。すなわち、制御部７は、特定の原稿サイズをトリガーにして鉛筆原稿判定動作を実行する。鉛筆書きされる可能性の高い一般的な大学ノートのサイズはＢ５、Ａ４サイズである。そこで、一般的な大学ノートの見開きの状態であるＢ４、Ａ３サイズで鉛筆原稿判定を行う。
【００２７】
文字抽出部７１は、ステップ１０２で取得した画像データに対してＯＣＲ（Optical character recognition）処理を行って、異なる複数箇所から文字をそれぞれ抽出する（ステップ１０５）。本実施の形態では、文字抽出部７１は、図５に示すように、天側、地側、右小口側、左小口側及びのど部の余白Ｓを除く領域を６つの文字抽出領域Ｔ１〜Ｔ６に分割し、文字抽出領域Ｔ１〜Ｔ６に対してそれぞれＯＣＲ処理を行って、設定された同一文字種で同一色（例えば、黒色）の文字をそれぞれ抽出する。抽出する文字の文字種は、画数の少ない仮名、カタカナ、英字、数字の内のいずれに設定すると良い。なお、抽出する文字の文字種は、画数の少ない仮名、カタカナ、英字、数字の内の複数に設定することもできる。また、文字抽出領域Ｔ１〜Ｔ６に対するＯＣＲ処理は、それぞれの全面に対して行う必要はなく、それぞれの領域で１文字が抽出できた時点でＯＣＲ処理を終了させると、処理コストを低減させることができ、好適である。
【００２８】
次に、文字抽出部７１は、文字抽出領域Ｔ１〜Ｔ６の内の２カ所以上で文字の抽出に成功したか否かを判断する（ステップ１０６）。ステップ１０６で文字抽出領域Ｔ１〜Ｔ６の内の２カ所以上で文字の抽出できなかった場合、文字抽出部７１は、鉛筆原稿判定動作を終了させ、ステップ１０４に至って、制御部７は、記録部６を用いてステップ１０２で取得した画像データを初期設定もしくはユーザーによって設定されている印刷条件で記録紙Ｐに印刷し、コピー動作を終了させる。
【００２９】
ステップ１０６で文字抽出領域Ｔ１〜Ｔ６の内の２カ所以上で文字の抽出に成功した場合、制御部７は線幅判定部７２として機能し、抽出された文字の線幅（太さ）をそれぞれ求め、それぞれの線幅を比較する（ステップ１０７）。文字の線幅は、例えば、黒画素の総数と、輪郭の全長とを求め、［（黒画素の総数）×２］／（輪郭の全長）を計算することで平均線幅として求めることができる。
【００３０】
次に、線幅判定部７２は、抽出された文字の線幅に違いがあるか否かを判断する（ステップ１０８）。線幅判定部７２は、抽出された文字の内の最も太い線幅と、抽出された文字の内の最も細い線幅との差が、予め設定された閾値以上である場合に、抽出された文字の線幅（太さ）に違いがあると判断する。すなわち、鉛筆書きの場合は、書いている間に鉛筆の芯が削れることで徐々に文字の線幅が太くなっているので、この特徴を利用して、異なる箇所から抽出した文字の線幅を比較することで原稿が鉛筆書きであるか否かを判定する。
【００３１】
ステップ１０７で抽出された文字の線幅に違いがない場合、線幅判定部７２は、鉛筆原稿判定動作を終了させ、ステップ１０４に至って、制御部７は、記録部６を用いてステップ１０２で取得した画像データを初期設定もしくはユーザーによって設定されている印刷条件で記録紙Ｐに印刷し、コピー動作を終了させる。
【００３２】
ステップ１０７で抽出された文字の線幅に違いがある場合、線幅判定部７２は、原稿が鉛筆書きであると判定する（ステップ１０９）。原稿が鉛筆書きであると判定されると、制御部７は印刷条件設定変更部７３として機能し、鉛筆書き用の画像処理（濃度変更やシャープネス）を行う鉛筆書き用の印刷条件に変更し（ステップ１１０）、変更した鉛筆書き用の印刷条件で記録部６を用いてステップ１０２で取得した画像データを記録紙Ｐに印刷する（ステップ１１１）。
【００３３】
以上説明したように第１の実施の形態は、コピー指示を受け付けると、原稿から画像データを読み取り、読み取った画像データを設定された印刷条件で記録紙Ｐに印刷するコピー機能を備えた複写機１であって、画像データの異なる複数箇所から文字をそれぞれ抽出する文字抽出部７１と、文字抽出部７１によって抽出された文字の線幅を比較することで、原稿が鉛筆書きか否かを判定する線幅判定部７２とを備えている。
この構成により、鉛筆書きの場合は書いている間に鉛筆の芯が削れることで徐々に文字の線幅が太くなるという特徴を利用して、鉛筆書きの原稿をより正確に判定することができる。例えば、鉛筆書きの原稿と判定できた場合に、その旨をユーザーに通知して、印刷条件を鉛筆書き用に変更することを促すことができる。
【００３４】
さらに、第１の実施の形態によれば、文字抽出部７１は、画像データの異なる複数箇所から同一色の文字をそれぞれ抽出するように構成されている。
この構成により、同一若しくは同種の鉛筆を用いて書いた文字の線幅を比較することができ、鉛筆書きの原稿を正確に判定することができる。
【００３５】
さらに、第１の実施の形態によれば、文字抽出部７１は、画像データの異なる複数箇所から同一文字種の文字をそれぞれ抽出するように構成されている。
この構成により、線幅の比較を正確に行うことができる。
【００３６】
さらに、第１の実施の形態によれば、線幅判定部７２によって原稿が鉛筆書きであると判定されると、鉛筆書き用の画像処理を行う鉛筆書き用の印刷条件に変更し、変更した鉛筆書き用の印刷条件で画像データを記録紙Ｐに印刷する印刷条件設定変更部７３を備えている。
この構成により、ユーザーは、原稿が鉛筆書きであるか否かを考慮することなく、コピーを行うことができ、利便性が向上される。
【００３７】
さらに、第１の実施の形態によれば、文字抽出部７１は、原稿の原稿サイズがＢ４サイズ若しくはＡ３サイズである場合に、画像データの異なる複数箇所から文字をそれぞれ抽出するように構成されている。
この構成により、鉛筆書きの可能性が高い場合にのみ、鉛筆原稿判定動作を効率的に実行することができる。
【００３８】
（第２の実施の形態）
第２の実施の形態の画像形成装置は、複写機１ａであり、図６を参照すると、第２の実施の形態の複写機１の構成に加えて、原稿給送部３（プラテンカバー）の開閉を検出する開閉検出部として開閉検出センサー３５が設けられている。開閉検出センサー３５は、原稿給送部３（プラテンカバー）の開閉を検出するマイクロスイッチであり、原稿給送部３（プラテンカバー）が閉じられた状態でオンされ、原稿給送部３（プラテンカバー）が開かれるとオフされる。
【００３９】
第１の実施の形態において、制御部７は、特定の原稿サイズをトリガーにして鉛筆原稿判定動作を実行するように構成したが、第２の実施の形態において、制御部７は、原稿給送部３（プラテンカバー）の開閉状態をトリガーにして鉛筆原稿判定動作を実行する。
【００４０】
次に、第２の実施の形態の複写機１ａにおける鉛筆原稿判定動作について図７を参照して詳細に説明する。なお、第１の実施の形態と同様にステップには同一の符号を付与し、その説明を省略する。
ステップ１０２で画像データを取得すると、制御部７は、開閉検出センサー３５がオフであるか否かを判断する（ステップ２０１）。
【００４１】
ステップ２０１で開閉検出センサー３５がオンである場合、制御部７は、鉛筆原稿判定動作を実行することなく、記録部６を用いてステップ１０２で取得した画像データを初期設定もしくはユーザーによって設定されている印刷条件で記録紙Ｐに印刷し（ステップ１０４）、コピー動作を終了させる。
【００４２】
ステップ２０１で開閉検出センサー３５がオフである場合、制御部７は、鉛筆原稿判定動作を実行するべく、文字抽出部７１として機能する。すなわち、制御部７は、原稿給送部３（プラテンカバー）の開閉状態をトリガーにして鉛筆原稿判定動作を実行する。鉛筆書きされる可能性の高い一般的なノートをコピーする場合、図６に示すように、見開きでプラテンガラス２２に載置される。従って、原稿給送部３（プラテンカバー）を完全に閉じることができない状態でコピー指示が行われることになる。そこで、第２の実施の形態では、原稿給送部３（プラテンカバー）が開いている場合ことを示す開閉検出センサー３５がオフ状態で鉛筆原稿判定を行う。
【００４３】
ステップ１１１で印刷を実行すると、制御部７は、予め設定された所定時間の経過と（ステップ２０２）、操作部５の操作ボタン５２によってコピー指示を受け付けとを待機する（ステップ２０３）。そして、ステップ１１３でコピー指示を受け付けることなく、ステップ１１２で所定時間が経過すると、制御部７は、コピー動作を終了させる。
【００４４】
ステップ２０２で所定時間が経過する前に、ステップ２０３でコピー指示を受け付けると、制御部７は、ユーザーによって設定されて原稿サイズに基づき、原稿読取部２によって原稿を読み取ることで画像データを取得し（ステップ２０４）、開閉検出センサー３５がオフであるか否かを判断する（ステップ２０５）。なお、ステップ２０２で経過を待機する所定時間は、原稿であるノートをめくって再びセットする時間を目安に設定されている。従って、ステップ２０２で所定時間が経過する前に、ステップ２０３でコピー指示を受け付けた場合には、鉛筆書きであるノートを継続してコピーするものと推定することができる。
【００４５】
ステップ２０５で開閉検出センサー３５がオンである場合、制御部７は、鉛筆原稿判定動作を実行することなく、原稿は鉛筆書きでないと判定し、記録部６を用いてステップ１０２で取得した画像データを初期設定もしくはユーザーによって設定されている印刷条件で記録紙Ｐに印刷し（ステップ１０４）、コピー動作を終了させる。
【００４６】
ステップ２０５で開閉検出センサー３５がオフである場合、すなわち、コピー指示の受け付け時に原稿給送部３（プラテンカバー）が開いている場合、制御部７は、鉛筆原稿判定動作を実行することなく、原稿は鉛筆書きであると判定し、ステップ１１１に至って、変更した鉛筆書き用の印刷条件で記録部６を用いてステップ１０２で取得した画像データを記録紙Ｐに印刷する。
【００４７】
以上説明したように第２の実施の形態は、コピー指示を受け付けると、原稿から画像データを読み取り、読み取った画像データを設定された印刷条件で記録紙Ｐに印刷するコピー機能を備えた複写機１ａであって、画像データの異なる複数箇所から文字をそれぞれ抽出する文字抽出部７１と、文字抽出部７１によって抽出された文字の線幅を比較することで、原稿が鉛筆書きか否かを判定する線幅判定部７２と、原稿が載置されるプラテンガラス２２と、プラテンガラス２２上面を開閉する原稿給送部３（プラテンカバー）と、原稿給送部３（プラテンカバー）の開閉を検出する開閉検出センサー３５とを具備し、文字抽出部７１は、コピー指示の受け付け時に開閉検出センサー３５によって原稿給送部３（プラテンカバー）の開いていることが検出されると、画像データの異なる複数箇所から文字をそれぞれ抽出するように構成されている。
この構成により、鉛筆書きの場合は書いている間に鉛筆の芯が削れることで徐々に文字の線幅が太くなるという特徴を利用して、鉛筆書きの原稿をより正確に判定することができると共に、鉛筆書きの可能性が高い場合にのみ、鉛筆原稿判定動作を効率的に実行することができる。
【００４８】
さらに、第２の実施の形態によれば、線幅判定部７２によって原稿が鉛筆書きであると判定されると、鉛筆書き用の画像処理を行う鉛筆書き用の印刷条件に変更し、変更した鉛筆書き用の印刷条件で画像データを記録紙Ｐに印刷する印刷条件設定変更部７３とを具備し、鉛筆書き用の印刷条件で画像データを記録紙Ｐに印刷した後、予め設定された所定時間が経過する前にコピー指示を受け付け、且つコピー指示の受け付け時に開閉検出センサー３５によって原稿給送部３（プラテンカバー）の開いていることが検出されると、文字抽出部７１による文字抽出動作及び線幅判定部７２による線幅判定動作を実行することなく、印刷条件設定変更部７３は、鉛筆書き用の印刷条件での印刷動作を実行するように構成されている。
この構成により、原稿が鉛筆書きであると想定できる場合には、鉛筆原稿判定動作を実行することなく、鉛筆書き用の印刷条件での印刷動作を効率良く実行することができる。
【００４９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００５０】
１、１ａ  複写機
２  原稿読取部
３  原稿給送部
４  本体部
５  操作部
６  記録部
７  制御部
８  画像処理部
９  記憶部 
２１  スキャナー
２２  プラテンガラス
２３  原稿読取スリット
２４  光源
２５  受光部
３１  原稿載置部
３２  原稿排出部
３３  原稿搬送機構
３４  原稿押さえ面
３５  開閉検出センサー
４０  搬送部
４１  給紙部
４２  給紙ローラー
４３  用紙搬送路
４４  搬送ローラー
４５  排出ローラー
４６  排出空間
５１  液晶表示部
５２  操作ボタン
６１  感光体ドラム
６２  帯電部
６３  露光部
６４  画像形成部
６５  転写部
６６  定着部
６７  クリーニング部
７１  文字抽出部
７２  線幅判定部
７３  印刷条件設定変更部
Ｓ  余白
Ｔ１〜Ｔ６  文字抽出領域
【図１】
0006406287.tif 000002
【図２】
0006406287.tif 000003
【図３】
0006406287.tif 000004
【図４】
0006406287.tif 000005
【図５】
0006406287.tif 000006
【図６】
0006406287.tif 000007
【図７】
0006406287.tif 000008